(57)【要約】【課題】注射針の誤刺事故を確実に防ぐことができ、操作性の良い注射針リキャップ器を提供する。【解決手段】上端に円柱形の本体部１２Ａａが形成され、本体部１２Ａａと下端の基底部１２Ａｂとは、連結部１５Ａ２つを介して連結している。第一キャップ５に付けた第二キャップ６の先端は、基底部１２Ａｂを越えないように連結部１５Ａの高さが設定され、本体部１２Ａａと基底部１２Ａｂとの間は、２つの連結部１５Ａ以外は広い空間となっている。【選択図】図２
2020058859.tif 000002
【特許請求の範囲】
【請求項１】
注射器に装着されるキャップが載置される注射針リキャップ器において、
上部の本体部と、下部の基底部と、前記本体部と前記基底部とを連結する連結部とからなり、
前記本体部は、前記キャップを挿通および保持可能な保持孔を、前記基底部は、下端に設置面を備え、
さらに前記本体部と前記基底部との間には、側方から手指で前記キャップを固定することが可能な空間を有することを特徴とする注射針リキャップ器。
【請求項２】
前記保持孔の軸心と前記設置面を含む平面との交点から前記保持孔の中央上端までの距離が、前記キャップの豊隆部の先端部中央から前記キャップの先端部までの距離よりも大きく設定された請求項１に記載の注射針リキャップ器。
【請求項３】
所定の高さを有する前記連結部が、前記設置面に対して斜めに設けられた請求項１または２に記載の注射針リキャップ器。
【請求項４】
注射器に装着されるキャップが載置される注射針リキャップ器において、
前記注射器を載置する基底部と、
前記基底部と連結されるリキャップ部材と、を備え、
前記リキャップ部材は、
前記キャップを保持する保持孔を有する本体部を備えることを特徴とする注射針リキャップ器。
【請求項５】
前記リキャップ部材は、前記本体部と一体に形成される姿勢調整部を備えることを特徴とする請求項４に記載の注射針リキャップ器。
【請求項６】
前記リキャップ部材は、前記本体部と前記姿勢調整部との境界近傍に前記基底部との連結部を備えることを特徴とする請求項５に記載の注射針リキャップ器。
【請求項７】
前記連結部は、前記リキャップ部材と前記基底部とが互いに回転運動可能となるように構成されていることを特徴とする請求項６に記載の注射針リキャップ器。
【請求項８】
前記キャップの後端、または前記豊隆部の後端に係合するキャップ逸脱防止部を備えた請求項４から７のいずれかに記載の注射針リキャップ器。
【発明の詳細な説明】
【技術分野】
【０００１】  本発明は、注射針（留置針、採血針等も含む）にプロテクターキャップ（以下第一キャップと記す）を着脱するときに使用する注射針リキャップ器に関する。
【背景技術】
【０００２】  注射の後で、注射針（前針）に第一キャップを再度取り付ける際、いわゆるリキャップする際に、第一キャップを持つと手指に誤刺してしまう危険がある。このような誤刺事故（針刺し事故）を防ぐために、第一キャップを持たずにリキャップすることが望ましい。【０００３】  しかし、テーブルの上などに横向きに置くと、第一キャップは動きやすく、さらに不適切な方向であるため、リキャップする操作が煩わしいという問題がある。【０００４】  注射針、例えば歯科用注射針（以下、単に注射針という）は、樹脂製の針基を中間にして前方に長い前針、後方に短い後針が延展している構造になっている。粘膜を穿通する役目の前針には第一キャップ、注射器内部に設置される注射用カートリッジ（注射液を内蔵している）を穿通する役目の後針には第二キャップが取り付けられている。第一キャップと第二キャップは、針基の周囲で、紙製のシールにより連結されている。注射針を注射器に取り付ける際には、第一キャップを片方の手に第二キャップを他方の手に持って、それぞれを逆方向に回転することにより紙製のシールを破り、第二キャップを外す。第一キャップを片方の手で持ったまま、他方の手は第二キャップから注射器へと持ちかえて、第一キャップごと注射針の後針を注射器に取り付けることで、注射針の注射器への取り付けが終了する。なお、採血針等の注射針は、後針と第二キャップが省かれた構造になっている。【０００５】  注射針をリキャップしやすいように、円錐台に第一キャップが入り込む穴を開けたスタンド型の注射針リキャップ器が市販されている。しかし、第一キャップを注射針から外す際に、スタンドから第一キャップが逸脱してしまい、再度第一キャップを注射針リキャップ器に戻さなければならないという煩わしさがある。また注射器は、スタンド型の注射針リキャップ器に立てたままであると倒れやすく、倒れた場合には、第一キャップが外れて注射針が露出してしまい極めて危険である。しかし、従来のスタンド型の注射針リキャップ器は重く、倒したり移動したりするのに不便である。さらに、第二キャップを収納することができないので、第二キャップを紛失しやすいという問題点がある。【０００６】  これらの問題点を解消するために、いくつかの報告がなされてきている。例えば、特許文献１（特開２０１４−１８５８３）には、携帯時には可動基底部を折り畳み、使用時には可動基底部を起こして使用できるキャップホルダー、すなわち注射針リキャップ器が開示されている。【０００７】    また、特許文献２（特開２０１０−２７９４４１）には、針押さえ部とフランジ部とで形成された注射針保持具、すなわち注射針リキャップ器が開示されている。ここでは、保持孔に外針先用キャップ（以下第一キャップと記す）を重ねた内針先用キャップ（以下第二キャップと記す）を挿入・保持した状態で注射針を着脱できる注射針リキャップ器、及び誤刺事故を防ぐ方法が示されている。
【先行技術文献】
【特許文献】
【０００８】
【特許文献１】特開２０１４−１８５８３
【特許文献２】特開２０１０−２７９４４１
【発明の概要】
【発明が解決しようとする課題】
【０００９】  上述した特許文献１の注射針リキャップ器では、３つの課題がある。【００１０】  最初の課題は、本体部を介して第一キャップを保持するため、注射針から第一キャップを外そうする時にうまくいかずに、第一キャップが本体部から外れてしまい、第一キャップは注射針についたままになりやすいということである。この場合には、前述したように再度第一キャップを注射針リキャップ器に戻さないとならないという煩わしさがある。【００１１】  二つ目の課題は、使用済みの注射針を第一キャップごと外そうとする時にうまくいかずに、第一キャップが本体部に残って、前針の針先が露出してしまうリスクがあるということである。【００１２】  三つ目の課題は、第二キャップを収納することができず、第二キャップを紛失しやすいという問題である。【００１３】  上述した特許文献２の注射針リキャップ器にも、３つの課題がある。最初の課題は、注射をするために注射針をつけた注射シリンジを引き抜く時に、針押さえ部を介して第二キャップを保持するため、第二キャップが針押さえ部から外れやすい、または第一キャップ先端部分が第二キャップ内面から外れやすいということである。その結果、注射針に第二キャップと第一キャップ、または第一キャップがついたままになりやすい。【００１４】  二つ目の課題は、注射後に注射シリンジから注射針を外した後、第二キャップを残して、指で第一キャップごと注射針を保持孔から抜き取る際に、内針先（以下後針と記す）で誤刺事故を起こしやすい、ということである。一度使用した注射シリンジ内部のカートリッジには、血液が逆流することが明らかになっており、注射針は後針も含めて、感染源と見なさなければならない。【００１５】  三つ目の課題は、使用済みの注射針を第一キャップに戻そうとする時に、開示された注射針リキャップ器は手で保持しなければならない構造である、ということである。使用済みの注射針を第一キャップに戻そうとする時が、誤刺事故を最も起こしやすいタイミングであり、可能な限り片手で操作すべきである。すなわち、注射針リキャップ器は、第一キャップが載置された状態で、安定して水平面に設置できる構造が望まれる。【００１６】  本発明は、以上述べたような事情を考慮してなされたものであり、その目的とするところは、第一キャップに安全かつ容易に注射針を着脱することができ、また第一キャップを装着した注射器を容易に横倒し姿勢で安定させることができ、さらに安全かつ容易に注射針の廃棄もできる注射針リキャップ器を提供することにある。【００１７】  ここに明記しない本発明の他の目的は、以下の説明および添付図面から明らかである。
【課題を解決するための手段】
【００１８】  本発明では、注射器に装着された注射針の針管をカバーする第一キャップが載置される注射針リキャップ器が提供される。この注射針リキャップ器は、
上部の板状の本体部と、下部の基底部と、前記本体部と前記基底部とを連結する連結部とからなり、
前記本体部は、前記第一キャップを挿通および保持可能な保持孔を、前記基底部は、下端に前記注射針リキャップ器を水平面に安定して設置することを可能にする設置面を備え、
さらに前記本体部と前記基底部との間には、側方から手指で前記第一キャップを固定することが可能な空間を有することを特徴とするものである。【００１９】  本発明の注射針リキャップ器の好ましい例では、前記保持孔の軸心と前記設置面を含む平面との交点から前記保持孔の中央上端までの距離が、前記第一キャップの豊隆部の先端部中心から前記第一キャップの先端部までの距離よりも大きく設定されている。この設定により、起立時でも前記注射針リキャップ器の前記第一キャップの先端部は、前記基底部や歯科用キャビネット等の設置場所の上面に触れることなく、前記豊隆部の先端部まで第一キャップを前記保持孔に挿通することが可能となり、より前記第一キャップは安定して保持孔に保持されるといった利点がある。また前記第一キャップの先端部周囲に空間が生じるため、注射針の廃棄時に、前記先端部を押して前記第一キャップを押し出すことが可能になるといった利点がある。【００２０】  本発明の注射針リキャップ器の他の好ましい例では、前記本体部、前記基底部、前記連結部のいずれかが回転軸を有し、前記本体部が、前記基底部に対して回転移動可能に連結されている。この構成により起立姿勢、横倒し姿勢のいずれの場合でも、前記設置面は水平面に設置され、前記注射針リキャップ器は安定するといった利点がある。【００２１】  本発明の注射針リキャップ器のさらに他の好ましい例では、前記第一キャップの前記針管を挿入する側の端部である第一キャップ後端に、または前記豊隆部の後端に、係合する第一キャップ逸脱防止部を備えている。この第一キャップ逸脱防止部は、薄い板状の突起である第一キャップ受け具に設けたり、第一キャップを保持する保持孔の上端に設けたりすることができる。この第一キャップ逸脱防止部により、手指で第一キャップを把持しなくても、注射器から第一キャップを外せるといった利点がある。すなわち、注射器を手前に引く時に、第一キャップの後端または豊隆部後端が第一キャップ逸脱防止部に引っ掛かり、第一キャップが保持孔から逸脱するのを防止して、第一キャップを注射針から外すことができる。【００２２】  第一キャップ逸脱防止部は、注射器を斜め手前に引いた時に、第一キャップの後端または豊隆部後端が引っ掛かるように前記本体部または前記連結部に設けることができる。または、注射針リキャップ器を把持した時に、第一キャップの後端または豊隆部後端近くに向かって移動するように設けることもできる。あるいは、前記基底部または前記連結部に設けて、前記本体部が回転移動した結果、第一キャップの後端または豊隆部後端近くに係合するように設けることもできる。【００２３】  本発明の注射針リキャップ器のさらに他の好ましい例では、所定の高さを有する前記連結部が、前記設置面に対して斜めに設けられている。注射針リキャップ器を横倒し姿勢にしても、回転移動して前記基底部を下にした起立姿勢に戻る構造になっている。注射針をつけた注射器を注射針リキャップ器に装着すると、注射針リキャップ器は、逆に、起立姿勢から回転移動して横倒し姿勢になる。このいわゆる「起き上がりこぼし」のような機能により、リキャップ器の姿勢修正の手間が少なくなるといった特徴がある。この効果は、��記基底部のうち前記連結部から離れた部分を厚くしたり、横幅を広くしたり、比重の大きい材質を用いたりして、重くすることにより、さらに高まる。
【発明の効果】
【００２４】  本発明の注射針リキャップ器は、上部に本体部を、下部に基底部を備えており、針刺し事故の多い、使用後の注射針に第一キャップを装着する場面で、片手で楽に操作でき、確実に誤刺事故を防止できるといった効果がある。また、注射針リキャップ器に装着したままで、第一キャップを楽にまた確実に外すことが可能である。さらに、側方から手指で第一キャップを固定することが可能なので、注射針リキャップ器に装着したまま、注射針を外したり、廃棄処理をしたりすることも可能である。また、嵩張らないので、使用感も良いといった効果がある。
【図面の簡単な説明】
【００２５】
【図１】本発明の第１実施形態に係る注射針リキャップ器を示す斜視図である。
【図２】本発明の第２実施形態に係る注射針リキャップ器に第一キャップが装着され、さらに第二キャップを重ねた状態を示す斜視図である。
【図３】（ａ）〜（ｄ）は、図２の注射針リキャップ器を用いて、注射器の準備から使用後に注射針に第一キャップを装着するまでのプロセスを示す斜視図である。
【図４】（ａ）〜（ｃ）は、図２の注射針リキャップ器を用いて、注射針を注射器から外し、廃棄するまでのプロセスを示す斜視図である。
【図５】本発明の第３実施形態に係る注射針リキャップ器を示す（ａ）斜視図と（ｂ）側面図である。
【図６】本発明の第４実施形態に係る注射針リキャップ器を構成する（ａ）基底部と（ｂ）注射針リキャップ部材を示す斜視図である。
【図７】本発明の第４実施形態に係る注射針リキャップ器に装着した第一キャップに注射針を（ａ）挿入する直前および（ｂ）挿入後を示す斜視図である。
【図８】（ａ）注射針の構成、および（ｂ）注射用シリンジに注射針を取り付けた状態を示す斜視図である。
【発明を実施するための形態】
【００２６】  以下、添付図面を参照しながら、本発明を実施するための形態に基づいて具体的に説明する。ここでは、歯科治療で使用する注射針を例にして述べる。
【００２７】  図８（ａ）に示すように、歯科用注射針（以下、単に注射針という）１は、針基２と、針基２を挿通して保持される針管２ａからなる。針基２から突出した針管２ａの長い方を前針３、短い方を後針４と呼ぶ。前針３は第一キャップ５、後針４は第二キャップ６でカバーされる。なお、図８（ａ）は、注射針１と第一キャップ５を斜め右から、第二キャップ６を斜め左から見た図である。
【００２８】  図８（ｂ）に示すように、注射器７は、注射針１の後針４を注射器７の内部に挿入して、前針３に第一キャップ５を装着した状態で準備される。
【００２９】  未使用の状態では、注射針１は第一キャップ５と第二キャップ６とでカバーされていて、第一キャップ５と第二キャップ６の境界部分はシールで密閉されている。使用直前に、第一キャップ５と第二キャップ６とをお互いに逆方向に回転するようにねじることで、密閉シールを分断し、第二キャップ６を外すと、後針４が現れる。後針４を注射器７の先端部分に挿入・回転して、注射針１を第一キャップ５とともに注射器７に取り付け、薬液カートリッジ（図示せず）を注射器７の内部に挿入することで、注射器７の準備が完了する。
【００３０】（第１実施形態）
図１に、本発明の第１実施形態に係る注射針リキャップ器の全体構成を示す。
【００３１】  図から分かるように、本実施形態に係る注射針リキャップ器１１は、長方形の板状の剛体が中央付近で折り曲げられ、二つの部分が重なる直前まで折り曲げられたような形状をしており、上部に本体部１２ａ、下部に基底部１２ｂが形成されている。本体部１２ａと基底部１２ｂとは、連結部１５を介して、一体化している。本体部１２ａと基底部１２ｂとの成す角度は４５°である。
【００３２】  本体部１２ａは、縦５０ｍｍ、横４０ｍｍ、厚さ５ｍｍの板状の概長方体形状であり、上方から見ると、短い一辺のひとつが連結部１５となっている。連結部１５から離れた本体部１２ａの端部付近には、本体部１２ａの上面に直交するように、浅い円柱状の孔である直径８ｍｍの保持孔１４が設けられている。
【００３３】  基底部１２ｂは、本体部１２ａと同様の板状形状であり、短い一辺のひとつが４０ｍｍの長さの連結部１５となっている。連結部１５から離れた端部には、直径２５ｍｍの半円柱形状の切れ欠きが、保持孔１４の軸心の延長線上付近に設けられている。基底部１２ｂの下端は、平面である設置面１９となっている。
【００３４】  本体部１２ａと基底部１２ｂとの間は空間であり、保持孔１４が存在する端部の下方でより広くなっており、保持孔１４の軸心と設置面１９を含む平面との交点から保持孔１４の中央上端までの距離は、５０ｍｍとなっている。本体部１２ａと基底部１２ｂとの間の空間は、連結部１５に向かって徐々に狭くなっている。連結部１５の外面は、直径１０ｍｍの円弧を描く形状となっている。
【００３５】  本実施形態に係る注射針リキャップ器１１は上記のような構成を有するので、注射器７に第一キャップ５とともに注射針１を取り付け、第一キャップ５を注射針リキャップ器１１に装着したら、横倒し姿勢にして、すなわち連結部１５の外面を下にして、注射針リキャップ器１１を装着した注射器７を置いておく。注射器７を使用するために第一キャップ５を引き抜いたら、使用後にリキャップしやすいように、注射針リキャップ器１１を起立姿勢に、すなわち基底部１２ｂの設置面１９をテーブル等の表面に接触するようにしておく。第二キャップ６は紛失しないように、第一キャップ５の先端周囲に装着しておくか、水平面に立てておく。本体部１２ａの直下で、第一キャップ５は、親指と人差し指で側方から把持することが可能である。また、第一キャップ先端部５ｄ周囲は、親指が通過できるように基底部１２ｂが形成されているので、第一キャップ先端部５ｄを親指で押すことができる。
【００３６】  注射針リキャップ器１１は以上のような特徴を有するので、使用する準備が整った注射器７の先端に取り付けられた第一キャップ５を、注射針リキャップ器１１の保持孔１４に挿通すると、本体部１２ａの下方で第一キャップ５を親指と人差し指で把持して、注射器７を引き抜き、注射針１から第一キャップ５を確実にかつ安全に外すことができる。また使用済みの注射針１は、第一キャップ５と第二キャップ６を付けた後に、保持孔１４に保持される第一キャップ５の第一キャップ先端部５ｄを親指で保持孔１４の方向に押し出すことで、確実・安全に廃棄することが可能である。
（第２実施形態）
図２に、本発明の第２実施形態に係る注射針リキャップ器の全体構成を、第一キャップと第二キャップを装着した状態で示す。
【００３７】  図から分かるように、本実施形態に係る注射針リキャップ器１１Ａは、上端に円柱形の本体部１２Ａａが形成されている。本体部１２Ａａと下端の基底部１２Ａｂとは、連結部１５Ａ２つを介して、連結している。第一キャップ５に付けた第二キャップ６の先端は，基底部１２Ａｂを越えないように連結部１５Ａの高さが設定されている。また本体部１２Ａａと基底部１２Ａｂとの間は、２つの連結部１５Ａ以外は、本発明の第１実施形態に係る注射針リキャップ器１１と同様に広い空間となっている。
【００３８】  本体部１２Ａａの中央には保持孔１４Ａが形成されている。基底部１２Ａｂの中央には、円柱状の空間が形成されていて、上方の空間に移行している。また基底部１２Ａｂの外側面に、回転防止用平面部１８Ａが形成されている。さらに連結部１５Ａは本体部１２Ａａと第一結合部１６Ａで、基底部１２Ａｂと第二結合部１７Ａで結合している。
【００３９】  次に、以上のような構成を持つ本発明の第２実施形態に係る注射針リキャップ器１１Ａの使用状態について説明する。
【００４０】  図３は、注射針リキャップ器１１Ａを用いた注射器の準備から注射終了までのプロセスを示す。
【００４１】  図３（ａ）は、使用する準備が整った注射器７の先端に取り付けられた第一キャップ５を、注射針リキャップ器１１Ａの保持孔１４Ａに挿通して、第一キャップ５の先端周囲に第二キャップ６を装着した状態を示している。注射を実施する前に、注射器７と注射針リキャップ器１１Ａは、このような状態にして準備しておく。
【００４２】  図３（ｂ）は、注射針１から第一キャップ５を引き抜くところを示している。本体部１２Ａａの下の空間で第一キャップ５を親指と人差し指で把持し、注射器７を引き抜くと前針３が注射器７の先端に現れ、注射器７を使用することができる。
【００４３】  図３（ｃ）は、注射器７を引き抜いた後の状態を示している。注射針リキャップ器１１Ａは、注射器７を使用後にリキャップしやすい場所に、立てた状態で置いておく。第二キャップ６は、紛失しないように、第一キャップ５の先端周囲に装着しておくことができる。
【００４４】  図３（ｄ）は、注射器７を使用した後に、注射針１の前針３にリキャップする状態を示している。注射器７を持った片手のみを使用して、前針３を注射針リキャップ器１１Ａに装着されている第一キャップ５に挿入し、リキャップする。
【００４５】  注射器７の使用後、すなわちリキャップ後は、再び図３（ａ）のように、連結部１５Ａの外側面が、診療台のブラケットテーブル等の表面に対向するように、注射針リキャップ器１１Ａを倒しておく。倒した状態にしておくことで、不意に注射器７が倒れてしまい、第一キャップ５が前針３から外れて誤刺事故が起こるという事態を防ぐことができる。再度、注射器７を使用する場合は、上記の図３（ｂ）→（ｃ）→（ｄ）→（ａ）の流れを繰り返す。
【００４６】  以上の説明は、第２実施形態に係る注射針リキャップ器１１Ａを用いた場合であるが、第１実施形態に係る注射針リキャップ器１１等、他の実施形態に係る注射針リキャップ器を用いた場合もほぼ同様である。
【００４７】  続いて図４を参照しながら、注射器７の使用後に注射針１を廃棄するプロセスを示す。
【００４８】  図４（ａ）は、使用後の注射器７を右手で保持し、第一キャップ５を装着した注射針リキャップ器１１Ａを左手で把持して、Ａ（反時計回り）の方向に回転している状態を示している。この時、本体部１２Ａａと基底部１２Ａｂとの間の空間から左手の手指で第一キャップ５を把持しても良い。Ａの方向に充分に回転すると、後針４が注射器７から外れ、第一キャップ５に付いたまま、注射針１が外れた状態になる。次に、第二キャップ６は第一キャップ５から外して、後針４が入るように孔が開いている方を上に向けて、テーブルの上に置く。
【００４９】  図４（ｂ）は、右手に持った注射針リキャップ器１１Ａを使用して、テーブルの上に置いた第二キャップ６に、後針４を入れて第一キャップ５を装着する直前の状態を示している。第一キャップ５が装着された注射針１の後針４が露出しているが、手はそこから離れているので、後針４による誤刺事故を起こさない。
【００５０】  図４（ｃ）は、右手で注射針リキャップ器１１Ａを保持し、親指で第一キャップ先端部５ｄを押し込んでいる状態を示している。このようにすることで、第一キャップ５と第二キャップ６により覆われた注射針１を注射針リキャップ器１１Ａから外して落下させ、下方の容器（図示せず）に廃棄することができる。
【００５１】  以上の操作を練習し、使用方法を遵守することにより、誤刺事故を減少させる効果がある。注射針リキャップ器１１Ａは、構造がシンプルで、大きさもコンパクトであるので、価格を抑えることができ、収納、使用ともに容易である。
（第３実施形態）
図５に、本発明の第３実施形態に係る注射針リキャップ器の全体構成を示す。
【００５２】  図５（ａ）（ｂ）に示すように、本実施形態に係る注射針リキャップ器１１Ｂは、半円板形状の本体部１２Ｂａと連結部１５Ｂと基底部１２Ｂｂとから構成されている。連結部１５Ｂは第一結合部１６Ｂで本体部１２Ｂａと直角に結合し、第二結合部１７Ｂで基底部１２Ｂｂと１２０°の角度で結合している。
【００５３】      本体部１２Ｂａは、連結部１５Ｂからやや離れた位置に内径７ｍｍの概円筒状のシリコンチューブ２０を備えた保持孔１４Ｂが形成されていて、連結部１５Ｂは、半円柱形状であり、外側面が平面になっている。基底部１２Ｂｂは、第二結合部１７Ｂから離れるにつれて上下方向の厚みが増し、中央付近では連結部１５Ｂから離れた方向へ開放された空間が形成されている形状である。基底部１２Ｂｂには、  第二キャップ装着部２１を備えた分離保持体２１Ｂが着脱可能に装着されている。分離保持体２１Ｂは磁石で結合しているが、キーアンドキーウェイ方式等、凹凸部を設けて結合させても良い。
【００５４】  本第３実施形態の注射針リキャップ器１１Ｂは、基底部１２Ｂｂの連結部１５Ｂから離れた部分が重い。そのため、連結部１５Ｂの外側面が下になるような横倒し姿勢にしても、回転移動して、基底部１２Ｂｂを下にした起立姿勢になる構造になっている。他の点については第２実施形態と同様である。
【００５５】  本第３実施形態の注射針リキャップ器１１Ｂは上述したような構造を有しているので、保持孔１４Ｂに第一キャップ５と第二キャップ６を装着しても、容易に基底部１２Ｂｂを下にした起立姿勢に回転移動する。一方、注射針１をつけた注射器７を注射針リキャップ器１１Ｂに装着すると、注射針リキャップ器１１Ｂは、逆に、起立姿勢から回転移動して横倒し姿勢になる。このいわゆる「起き上がりこぼし」のような機能により、リキャップ器の姿勢修正の手間が少なくなるといった特徴がある。
【００５６】  また注射針リキャップ器１１Ｂは、保持孔１４Ｂに弾性のあるシリコンチューブ２０を備えているので、様々な直径の第一キャップ５が装着可能であるといった特徴がある。また基底部１２Ｂｂは、親指の通過する開放された空間が形成されている形状であり、親指を本体部１２Ｂａの下面まで通すことが可能であるので、注射針１の廃棄時に操作性が良いという長所がある。また、基底部１２Ｂｂには、第二キャップ装着部２１を備えた分離保持体２１Ｂが着脱可能に装着されているので、第一キャップ５に第二キャップ６を装着するときも、操作しやすいという特徴がある。
【００５７】（第４実施形態）
図６および図７は、本発明の第４実施形態に係る注射針リキャップ器の全体構成を示す。
【００５８】  図６（ａ）は本実施形態に係る注射針リキャップ器１１Ｃの２つの部材の１つである基底部１２Ｃｂを示し、図６（ｂ）はもう１つの部材である注射針リキャップ部材３４を示す。
【００５９】  図６（ａ）に示す基底部１２Ｃｂは下端に設置面１９Ｃを有し、多くの部分を台座部２４が占めており、残りの部分をリキャップ部材装着部２６が占めている。
【００６０】  台座部２４、リキャップ部材装着部２６ともに、底面は、設置面１９Ｃとなっている。設置面１９Ｃはテーブル表面に接する面であり、滑りにくいように粗造になっている。
【００６１】  台座部２４は注射器が設置される部分であり、縦８０ｍｍ、横５０ｍｍ、高さ２０ｍｍの概長方体形状である。リキャップ部材装着部２６との境界付近、すなわち上方から見て短い方の横の一辺には、１０〜１５ｍｍ上方に突き出た板状の第一キャップ受け具３０を有している。第一キャップ受け具３０の中央上端には、半円板状の切り欠きである第一キャップ逸脱防止部２５が備えられている。また、第一キャップ逸脱防止部２５の端部近くの台座部上面３３には、設置面１９Ｃに向けて垂直な孔である第二キャップ装着部２１Ａが設けられている。
【００６２】  リキャップ部材装着部２６は、第一キャップ受け具３０近くの台座部２４の端部２か所から、台座部前面３１から遠ざかるように延展する二本の概四角柱体であり、台座部側面３２と同一平面上に、側面を有する。リキャップ部材装着部２６の高さは１０ｍｍであり、上部に縦幅２ｍｍ、横幅５ｍｍのスリットが付与されている直径３ｍｍの孔である連結凹部２９が付与されている。
【００６３】  図６（ｂ）に示す注射針リキャップ部材３４は、本体部１２Ｃａと連結凸部２７から構成されている。本体部１２Ｃａには姿勢調整部３６が７０°の角度をもって一体化している。また、本体部１２Ｃａと姿勢調整部３６の結合部分から結合方向に平行に二つの連結凸部２７が左右水平に両手を伸ばすように突出している。左右の連結凸部２７には全周にわたって、幅２ｍｍの溝であるオーリング装着部（図示せず）が形成され、軸部用オーリング２８が装着されている。本体部１２Ｃａの姿勢調整部３６から離れた部分には、内部にオーリング３５を備えた保持孔１４Ｃが形成されている。
【００６４】  図６（ａ）に示す基底部１２Ｃｂの連結凹部２９に、図６（ｂ）に示す注射針リキャップ部材３４の連結凸部２７を挿入することで、注射針リキャップ器１１Ｃが構成される。注射針リキャップ部材３４を装着する方向は、姿勢調整部３６が台座部前面３１から遠ざかる向きである。連結凹部２９と連結凸部２７が一体化することで、回転移動可能な連結部１５Ｃが形成される。注射針リキャップ器１１Ｃの注射針リキャップ部材３４は、軸部用オーリング２８が装着されているので回転移動では容易には外れないが、上下方向に強く力を加えることによって着脱可能である。
【００６５】  図７（ａ）は第４実施形態に係る注射針リキャップ器１１Ｃに第一キャップ５が装着されており、注射器７の前針３が第一キャップ５に挿入される直前の状態を、図７（ｂ）は前針３が第一キャップ５に挿入された状態を示している。保持孔１４Ｃは、オーリング３５の弾性により、様々な太さの第一キャップ５を保持することができる。両図からわかるように、注射針リキャップ部材３４は、注射器７を外した状態では、姿勢調整部３６の重みで４５°の起立姿勢を保ち、注射器７を装着した状態では、注射器７の重みで回転移動後に横倒し姿勢となる。この姿勢で、第一キャップ豊隆部５ａの豊隆部後端５ｃが基底部１２Ｃｂの第一キャップ受け具３０の上端中央に設けられた第一キャップ逸脱防止部２５に勘合し、注射器７は台座部上面３３に安定して支持される。このまま注射器７を台座部上面３３に沿って、台座部前面３１方向に引くと、前針３は第一キャップ５から引き抜くことができる。第二キャップ６は第二キャップ装着部２１Ａに保持することが可能である。なお、横倒し姿勢で第一キャップ逸脱防止部２５に勘合するのは豊隆部後端５ｃでなく、第一キャップ後端５ｆであっても良い。
【００６６】  使用済みの注射針１を廃棄する際には、まず注射器７を右手で上方に平行移動するように引き上げて、第一キャップ５と注射針１が装着されたまま、基底部１２Ｃｂから注射針リキャップ部材３４を外す。次に、左手の手指で第一キャップ５を側方から把持して、図４に示した第２実施形態と同様のプロセスで使用済みの注射針１を廃棄する。
【００６７】  第４実施形態に係る注射針リキャップ器１１Ｃは、基底部１２Ｃｂの重みと連結部１５Ｃの回転作用により、姿勢修正がほとんど不必要になるという利点がある。また、連結部１５Ｃの回転作用により、本体部１２Ｃａの保持孔１４Ｃに装着した第一キャップ５は、注射針１を挿入しやすい方向に向けられる。注射針１が挿入された後、注射器７は歯科医師の邪魔にならないように倒れた状態で台座部上面３３に支持される。さらに、第一キャップ５は、豊隆部後端５ｃが第一キャップ逸脱防止部２５に勘合するので、左手を使わずに、右手のみで第一キャップ５を外すことができる。さらに、第二キャップ６は第二キャップ装着部２１Ａに安定して保持されているので、注射針リキャップ部材３４を基底部１２Ｃｂから外して、第一キャップ５に第二キャップ６を安全かつ容易に装着できるという特徴がある。
【００６８】  さらに基底部１２Ｃｂの厚みにより、注射器７とテーブル表面の間に親指、人差し指、中指を位置づけるための空間が生じることで、台座部上面３３に置いた注射器７が把持しやすくなるという利点がある。さらに、滅菌した注射器７と基底部１２Ｃｂを含む注射針リキャップ器１１Ｃを用意することにより、滅菌操作が行いやすくなる。第４実施形態に係る注射針リキャップ器１１Ｃは以上のような特徴がある。
【００６９】  （他の変形例）
上述した第１〜第４実施形態は、本発明を具体化した例を示すものである。したがって、本発明はこの実施形態に限定されるものではなく、本発明の趣旨を外れることなく種々の変形が可能であることは言うまでもない。例えば、保持孔は必ずしも円形である必要はなく、楕円形、多角形、星型等の形状でも良い。また連結部は１つでも複数でも良い。さらに注射針リキャップ部材の連結凸部は基底部に設けることもできるし、別部材とすることもできる。
【符号の説明】
【００７０】１    注射針
２    針基
３    前針
４    後針
５    第一キャップ
５ａ  第一キャップ豊隆部
５ｂ  豊隆部先端
５ｃ  豊隆部後端
５ｄ  第一キャップ先端部
５ｅ  手指把持部
５ｆ  第一キャップ後端
６    第二キャップ
７    注射器
８    フィンガーフランジ
９    プランジャー
１０  プランジャーヘッド
１１、１１Ａ、１１Ｂ、１１Ｃ  注射針リキャップ器
１２ａ、１２Ａａ、１２Ｂａ、１２Ｃａ  本体部
１２ｂ、１２Ａｂ、１２Ｂｂ、１２Ｃｂ  基底部
１４、１４Ａ、１４Ｂ、１４Ｃ  保持孔
１５、１５Ａ、１５Ｂ、１５Ｃ  連結部
１６Ａ、１６Ｂ  第一結合部
１７Ａ、１７Ｂ  第二結合部
１８Ａ、１８Ｂ  回転防止用平面部
１９、１９Ａ、１９Ｂ、１９Ｃ  設置面
２０  シリコンチューブ
２１、２１Ａ  第二キャップ装着部
２１Ｂ  分離保持体
２４  台座部
２５  第一キャップ逸脱防止部
２６  リキャップ部材装着部
２７  連結凸部
２８  軸部用オーリング
２９  連結凹部
３０  第一キャップ受け具
３１  台座部前面
３２  台座部側面
３３  台座部上面
３４  注射針リキャップ部材
３５  オーリング
３６  姿勢調整部
【図１】
2020058859.tif 000003
【図２】
2020058859.tif 000004
【図３】
2020058859.tif 000005
【図４】
2020058859.tif 000006
【図５】
2020058859.tif 000007
【図６】
2020058859.tif 000008
【図７】
2020058859.tif 000009
【図８】
2020058859.tif 000010